(57)【要約】【課題】施工性やメンテナンス性とともに排水性も向上させることができ、かつ部品点数を抑制することができる浴室出入口用建具を提供すること。【解決手段】下枠のカバー部材１５に端部キャップ１８を設け、この端部キャップ１８に複数のリブ１８６、１８７，１８８を形成しておくことで、端部キャップ１８の位置に達した水がその表面張力によって引き寄せられ、端面部１８１の浴室側端部から浴室床に戻される。従って、排水空間の水を端部キャップ１８のリブ１８６、１８７，１８８で引き寄せて浴室側に誘導することで、下枠本体の上面部に水が残ってしまうことを防止して排水性を向上させることができる。【選択図】図４
2011006951.tif 000002
【特許請求の範囲】
【請求項１】
浴室出入口に取り付けられる建具枠と、この建具枠に対して開閉可能に設けられた戸とを備える浴室出入口用建具であって、
前記建具枠の下枠は、略フラットな上面部を有する下枠本体と、前記上面部の少なくとも一部を覆いかつ浴室床の上方に跨って延びるカバー部材とを備え、
前記カバー部材と前記下枠本体の上面部および前記浴室床との間には、当該上面部上に流出した水を浴室側に戻す排水空間が形成され、
前記カバー部材の長手方向における少なくとも一方の端部には、端部キャップが取り付けられ、この端部キャップには、前記排水空間に延びて前記上面部上の水を引き寄せる引水部が設けられている浴室出入口用建具。
【請求項２】
前記カバー部材は、その長手方向の途中少なくとも１箇所で分割された複数で構成され、これら複数のカバー部材における両端部に各々前記端部キャップが取り付けられている請求項１に記載の浴室出入口用建具。
【請求項３】
前記引水部には、下方に突出するとともに前記下枠本体の上面部および前記浴室床と所定の間隔を有して対向する複数のリブが形成されている請求項１または請求項２に記載の浴室出入口用建具。
【請求項４】
前記リブは、前記下枠の見込み方向に延びる複数の見込みリブと、これら複数の見込みリブよりも見付け方向内側にて前記カバー部材の長手方向に延びる複数の見付けリブとを備えて構成されている請求項３に記載の浴室出入口用建具。
【請求項５】
少なくとも１つの前記見込みリブと少なくとも１つの見付けリブとが接続されて平面略Ｌ字状の折曲リブが形成されている請求項４に記載の浴室出入口用建具。
【請求項６】
前記リブは、前記下枠の見込み方向浴室側に向かって前記カバー部材の長手方向内側に傾斜する複数の傾斜リブを備えて構成されている請求項３に記載の浴室出入口用建具。
【発明の詳細な説明】
【技術分野】
【０００１】
本発明は、浴室出入口用建具に関する。
【背景技術】
【０００２】
浴室出入口用の建具として、浴室の居室側（脱衣室側）の床面から、建具下枠の上面および浴室の床面（洗い場）まで、高さレベルがほぼ一定な略フラットな面を形成したバリアフリータイプの建具が知られている。
このようなバリアフリータイプの浴室出入口用建具としては、従来は、洗い場から脱衣室側に水が流出することを防止するため、浴室出入口用建具の下枠下側に配水樋や排水管を設け、浴室から流出する水を下枠下側の排水樋等に落として排水する構造のものが用いられていた。
【０００３】
また、従来の構造では、建具下側や洗い場の下側などに排水樋や配水管を配置するスペースが必要となり、施工性やメンテナンス性が低下するため、このような排水樋等を設けない浴室出入口用建具も提案されている（例えば、特許文献１参照）。
特許文献１に記載の建具では、下枠の脱衣室側端部に立上部を設けるとともに、この立上部および戸（障子）間にその隙間部分を塞ぐシール材を配置し、洗い場から脱衣室側への水の流出を前記立上部およびシール材で防止していた。この際、立上り部および脱衣室の床面と、浴室の洗い場と建具の上面との間に段差が生じることから、下枠の上側にアタッチメントを取り付け、段差部分にスロープを設けることで、浴室への出入りがスムーズにできるようになっている。このような建具によれば、下枠下側の排水樋等をなくすことができて施工性やメンテナンス性を向上できる利点がある。
【０００４】
一方、特許文献１に記載の建具では、下枠上面に流出した水の排水性が十分でなく、下枠上面に水が残ってしまう残水問題が生じることから、排水性を向上させるために下枠構造を工夫した浴室出入口用建具が提案されている（例えば、特許文献２参照）。
特許文献２に記載の建具では、スロープ用アタッチメントと下枠の上面部との間に排水空間が形成され、この排水空間に引水部材が設けられることで、下枠上面部上の水を引き寄せて浴室側に誘導することができ、下枠上面に水が残ってしまうことを防止して排水性が向上できるようになっている。
【先行技術文献】
【特許文献】
【０００５】
【特許文献１】特開２００３−２２１９７３号公報
【特許文献２】特開２００８−８８８０６号公報
【発明の概要】
【発明が解決しようとする課題】
【０００６】
ところで、特許文献２に記載の建具のように、スロープ用アタッチメントと引水部材とを準備すると、部品点数が多くなってしまうことから、部品点数の増加を抑制しつつ、施工性やメンテナンス性の向上と排水性の向上とが両立できる浴室出入口用建具の開発が望まれていた。
【０００７】
本発明の目的は、施工性やメンテナンス性とともに排水性も向上させることができ、かつ部品点数を抑制することができる浴室出入口用建具を提供することにある。
【課題を解決するための手段】
【０００８】
本発明の浴室出入口用建具は、浴室出入口に取り付けられる建具枠と、この建具枠に対して開閉可能に設けられた戸とを備える浴室出入口用建具であって、前記建具枠の下枠は、略フラットな上面部を有する下枠本体と、前記上面部の少なくとも一部を覆いかつ浴室床の上方に跨って延びるカバー部材とを備え、前記カバー部材と前記下枠の上面部および前記浴室床との間には、当該上面部上に流出した水を浴室側に戻す排水空間が形成され、前記カバー部材の長手方向における少なくとも一方の端部には、端部キャップが取り付けられ、この端部キャップには、前記排水空間に延びて前記上面部上の水を引き寄せる引水部が設けられていることを特徴とする。
【０００９】
このような本発明によれば、カバー部材を越えて下枠本体の上面部に流出した水は、排水空間を介して浴室床に戻されて排出されることになるが、上面部が略フラットに形成されているため、一部の水が滞留しようとするものの、この水を端部キャップの引水部で引き寄せて浴室床側に誘導することで、上面部に水が残ってしまうことを防止して排水性を向上させることができる。さらに、引水部が端部キャップに形成されているので、別途の引水部材を準備する必要がなくなって、部品点数の増加を防止することができる。
また、本発明では、下枠の上面部は略フラットな面とされているので、カバー部材を取り外すことで、上面部の清掃を容易に行うことができる。
【００１０】
この際、本発明の浴室出入口用建具では、前記カバー部材は、その長手方向の途中少なくとも１箇所で分割された複数で構成され、これら複数のカバー部材における両端部に各々前記端部キャップが取り付けられていることが好ましい。
このような構成によれば、カバー部材を複数に分割することで下枠本体から取り外しやすくでき、下枠本体の清掃性を向上させることができる。さらに、分割した複数のカバー部材における両端部に端部キャップを取り付けることで、その引水部を下枠長手方向に沿った途中位置にも設けることができ、排水性をより一層向上させることができる。
【００１１】
また、本発明の浴室出入口用建具では、前記引水部には、下方に突出するとともに前記下枠本体の上面部および前記浴室床と所定の間隔を有して対向する複数のリブが形成されていることが好ましい。
このような構成によれば、複数のリブによって引水部の表面積が拡大されているので、下枠本体の上面部に滞留しようとする水の表面張力を壊しやすくでき、この水を確実に誘導することができる。
【００１２】
さらに、本発明の浴室出入口用建具では、前記リブは、前記下枠の見込み方向に延びる複数の見込みリブと、これら複数の見込みリブよりも見付け方向内側にて前記カバー部材の長手方向に延びる複数の見付けリブとを備えて構成されていることが好ましい。
このような構成によれば、見付けリブによって下枠本体の長手方向内方から水を引き寄せ、引き寄せた水を見込みリブによって浴室床側に排水することで、さらに残水を少なくすることができる。
【００１３】
この際、本発明の浴室出入口用建具では、少なくとも１つの前記見込みリブと少なくとも１つの見付けリブとが接続されて平面略Ｌ字状の折曲リブが形成されていることが好ましい。
このような構成によれば、少なくとも各１つずつの見込みリブと見付けリブとが接続されていることで、見付けリブで引き寄せた水を見込みリブにスムーズに受け渡して排水することができ、排水性を向上させることができる。
【００１４】
また、本発明の浴室出入口用建具では、前記リブは、前記下枠の見込み方向浴室側に向かって前記カバー部材の長手方向内側に傾斜する複数の傾斜リブを備えて構成されていることが好ましい。
このような構成によれば、各傾斜リブが下枠本体の長手方向内方から水を引き寄せつつ浴室床側に排水することで、水の引き寄せ効果を高めて排水性を向上させることができる。
【図面の簡単な説明】
【００１５】
【図１】本発明の第１実施形態に係る浴室出入口用建具を示す縦断面図である。
【図２】前記浴室出入口用建具の建具枠を示す横断面図である。
【図３】前記建具枠の下枠を拡大して示す縦断面図である。
【図４】前記下枠のカバー部材を示す斜視図である。
【図５】前記カバー部材の端部キャップを示す斜視図である。
【図６】前記端部キャップの下面側を示す斜視図である。
【図７】前記端部キャップの変形例を示す斜視図である。
【図８】本発明の第２実施形態に係る浴室出入口用建具を示す縦断面図である。
【図９】本発明の第３実施形態に係る浴室出入口用建具を示す縦断面図である。
【図１０】本発明の第４実施形態に係る浴室出入口用建具を示す縦断面図である。
【発明を実施するための形態】
【００１６】
以下、本発明の各実施形態を図面に基づいて説明する。
なお、第２実施形態以降において、次の第１実施形態で説明する構成部材と同じ構成部材、および同様な機能を有する構成部材には、第１実施形態の構成部材と同じ符号を付し、それらの説明を省略または簡略化する。また、各図においては、図面を見やすくするために、主要な構成部材については、その断面部分のハッチングを省略することがある。
【００１７】
〔第１実施形態〕
本発明の第１実施形態に係る浴室出入口用建具としての三枚建て引戸１について、図１〜図７に基づいて説明する。
図１および図２に示すように、三枚建て引戸１は、浴室床２の床面２Ａと、脱衣室床（不図示）の床面および建具枠１０の下枠１２上面との段差が約１０〜１５mm程度以下とされた低段差構造の出入り口である。
この浴室は、浴槽（不図示）や浴室床（防水パン）２等がＦＲＰ（Fiber-Reinforced Plastics ：繊維強化プラスチック）等から一体に形成され、あるいは別体で製造した部材を組み合わせてユニット化されたもので、図示しない躯体上に載置されている。
【００１８】
三枚建て引戸１は、上枠１１、下枠１２および左右の縦枠１３を有する建具枠１０と、この建具枠１０内に開閉自在に設けられた引き戸形式の三枚の障子（戸）２０とを備えて構成されている。
建具枠１０は、それぞれアルミ押出形材製の上枠１１、下枠１２の下枠本体１４および左右の縦枠１３を四周枠組みして形成されている。そして、浴室側において、浴室床２の端部に形成された支持部２Ｂに下枠本体１４が載置されて支持されている。
【００１９】
三枚の障子２０は、それぞれアルミ押出形材製の上框２１、下框２２および左右の縦框を四周框組みし、ガラスや樹脂などの面材２４を組み込んで形成されている。これらの障子２０は、それぞれ上枠１１に形成された上レール１１Ａと、下枠１２のカバー部材１５に形成された下レール１２Ａとに案内されることで、左右に開閉自在に支持されている。また、三枚の障子２０は、全閉状態において、互いの縦框が係合するとともに、浴室側および脱衣室側の二枚の障子２０が左右の縦枠１３に係合して閉じるように構成されている。
【００２０】
下枠１２は、図３および図４にも示すように、アルミ押出形材製で略中空筒状の下枠本体１４と、この下枠本体１４の上面側に取り付けられるカバー部材１５とを備えて構成されている。下枠本体１４は、略水平な上面部１４１と、上面部１４１の脱衣室側端縁から略垂直に立ち上がる立上部１４２と、この立上部１４２から脱衣室側に延長されて脱衣室床に固定される固定片部１４３とを備えている。立上部１４２と固定片部１４３との交差部分には、止水材１４４を保持するポケット部１４５が形成され、保持した止水材１４４が障子２０に摺接可能になっている。さらに、立上部１４２の浴室側の側面には、カバー部材１５を係合する係合凹部１４６が下枠１２の長手方向に連続して形成されている。
【００２１】
ここで、上面部１４１は略フラットな水平面とされているが、立上部１４２から浴室側端面に向かって低くなるように僅かに傾斜されて水勾配が付けられている。より詳細には、上面部１４１は、脱衣室側から二枚分の障子２０の下側に位置する脱衣室側上面部１４１Ａと、この脱衣室側上面部１４１Ａの浴室側に連続する浴室側上面部１４１Ｂの２つの領域に区画されている。そして、浴室側上面部１４１Ｂの勾配（傾斜角度）は略水平に近い角度とされ、この角度に比べて脱衣室側上面部１４１Ａの勾配（傾斜角度）は大きく形成されている。また、浴室側上面部１４１Ｂの上面には、下枠１２の長手方向に連続する１条の溝１４７が形成されている。この溝１４７は、所定の深さ寸法（例えば、０．２〜０．６ｍｍ）を有し、断面略半円形状または断面略三角形状に形成され、浴室側上面部１４１Ｂ上の水をこの溝１４７に沿って案内できるようになっている。
【００２２】
図２に示すように、下枠本体１４の左右両端近傍の２カ所および中央部近傍の２カ所には、取付部材１６がビスによって固定され、これらの取付部材１６に係止されてカバー部材１５が下枠本体１４に取り付けられている。
カバー部材１５は、下枠１２の長手方向の中間位置で分割された２つのカバー部材本体１７と、これら各々のカバー部材本体１７の両端部に取り付けられる樹脂製の端部キャップ１８とを備えて構成されている。カバー部材本体１７は、アルミ押出形材製で長尺状の部材であって、下枠本体１４の上面部１４１を覆う水平面部１７１と、水平面部１７１の浴室側に連続して浴室床２の床面２Ａを覆う傾斜面部１７２とを備えて形成されている。水平面部１７１と傾斜面部１７２とが連続する位置の下側には、取付部材１６に係止される係止突起１７３が形成されている。
【００２３】
また、カバー部材本体１７の水平面部１７１の上面には、３本の下レール１２Ａと、これら３本の下レール１２Ａ間にて止水材１７４を保持する２つのポケット部１７５とが、それぞれカバー部材本体１７の長手方向に連続して形成されている。さらに、カバー部材本体１７の脱衣室側端部には、上方に立ち上がって係合凹部１４６に係合される被係合片部１７６と、下方に立ち下がって上面部１４１に支持される支持片部１７７とが形成されている。また、カバー部材本体１７の浴室側端部下面には、止水材１７８を保持するポケット部１７９が形成されている。以上のカバー部材１５は、被係合片部１７６を係合凹部１４６に係合するとともに、支持片部１７７を上面部１４１に載置し、係止突起１７３を取付部材１６に係止することで下枠本体１４に取り付けられ、取り付けた状態で止水材１７８が浴室床２の床面２Ａに当接されるようになっている。
【００２４】
以上のカバー部材本体１７の水平面部１７１下面と下枠本体１４の上面部１４１とは、図３に示すように、脱衣室側端部近傍において、高さ寸法Ｈ１だけの隙間を介して対向し、浴室側端部近傍において、高さ寸法Ｈ２だけの隙間を介して対向するようになっている。ここで、高さ寸法Ｈ１は、２ｍｍ程度に設定されており、高さ寸法Ｈ２は、４ｍｍ程度に設定されている。一方、カバー部材本体１７における水平面部１７１の下面には、図３、図４に示すように、３本の下レール１２Ａの反対側に位置して上向きに凹むとともにカバー部材本体１７の長手方向に連続する３条の溝１７１Ａが形成されている。これらの溝１７１Ａは、所定の深さ寸法（例えば、０．２〜０．６ｍｍ）を有し、断面略半円形状または断面略三角形状に形成され、下枠本体１４の上面部１４１上の水をこれらの溝１７１Ａに沿って案内できるようになっている。すなわち、一般的に水平面上の水は、その表面張力によって３ｍｍ程度の高さの水滴あるいは水溜まりとなるのであるが、下枠本体１４の上面部１４１に水が滞留しようとした場合には、前述のように水平面部１７１下面と下枠本体１４の上面部１４１との間に高さ寸法Ｈ１〜Ｈ２の隙間しかないため、滞留しようとする水が水平面部１７１下面に当たることになる。この際、前述の３条の溝１７１Ａが水平面部１７１下面に形成されていることで、これらの溝１７１Ａに沿って水が案内されて長手方向端部側に移動することとなる。なお、溝１７１Ａとしては、３条に限らず、１条や２条でもよく、また４条以上であってもよい。さらに、溝１７１Ａは、下レール１２Ａの反対側に限らず、任意の位置に設けることができる。
【００２５】
端部キャップ１８は、図５、図６にも示すように、カバー部材本体１７の長手方向側端縁と略同一形状を有して当該側端縁を覆う端面部１８１と、この端面部１８１からカバー部材本体１７の内方に延びる引水部としての２つの挿入部１８２，１８３と、これら２つの挿入部１８２，１８３間にて係止突起１７３を挿通させる挿通溝１８４とを有して形成されている。２つの挿入部１８２，１８３のうち、脱衣室側の挿入部１８２は、カバー部材本体１７の水平面部１７１下面、支持片部１７７および係止突起１７３で三方が囲まれた部分に挿入され、浴室側の挿入部１８３は、脱衣室側の挿入部１８２よりも長く形成されるとともに、カバー部材本体１７の傾斜面部１７２下面、係止突起１７３およびポケット部１７９で三方が囲まれた部分に挿入される。また、挿入部１８２には、弾性変形可能な２つの押圧片部１８５が形成され、２つの挿入部１８２，１８３をカバー部材本体１７に挿入するとともに、２つの押圧片部１８５を水平面部１７１下面に押圧状態で当接させることで、端部キャップ１８がカバー部材本体１７に対して着脱可能に取り付けられている。
【００２６】
端部キャップ１８の下面側（下枠本体１４の上面部１４１および浴室床２の床面２Ａに対向する側）には、下方に突出する複数のリブ１８６，１８７が設けられている。リブ１８６は、端面部１８１と平行に下枠１２に見込み方向に延びて形成される見込みリブであって、挿入部１８２から挿入部１８３に渡って４本のリブ１８６が形成されている。また、２つの押圧片部１８５の下面にも、リブ１８６のうちの２本と並んで２つのリブ１８８が形成されている。リブ１８７は、端面部１８１と直交する下枠１２に見付け方向に延びて形成される見付けリブであって、挿入部１８３におけるリブ１８６よりも先端側に５本のリブ１８７が形成されている。また、４本のリブ１８６のうち、端面部１８１から最も離れた１本のリブ１８６の浴室側端部と、５本のリブ１８７のうち、最も脱衣室側の１本のリブ１８６とは、互いに接続され、これらの接続されたリブ１８６，１８７によって平面略Ｌ字状の折曲リブが形成されている。なお、端部キャップ１８のうち、下枠１２の長手方向両端部に位置する２つの端部キャップ１８において、端面部１８１の浴室側には、側方に突出する把手部１８９が形成され、この把手部１８９を引き上げることで、カバー部材１５を下枠本体１４から取り外せるようになっている。
【００２７】
次に、三枚建て引戸１における下枠１２の排水構造について説明する。
前述のように、カバー部材本体１７の長手方向両端部に端部キャップ１８を取り付け、このカバー部材１５を下枠本体１４に取り付けることで、カバー部材本体１７の水平面部１７１および傾斜面部１７２の各下面と、下枠本体１４の上面部１４１および浴室床２の床面２Ａとの間には、排水空間Ｓが形成される。この取付状態において、カバー部材１５の端部キャップ１８におけるリブ１８６，１８７，１８８は、排水空間Ｓに位置して、かつ、下枠本体１４の上面部１４１および浴室床２の床面２Ａに所定間隔（０．２〜１ｍｍ程度）を介して対向するようになっている。
以上の下枠１２に対して、浴室からカバー部材１５部分に流れ込んだ水は、傾斜面部１７２を介して浴室側に戻される。また、カバー部材１５部分に流れ込む水が多い場合、あるいは勢いよく流れ込んだ場合には、脱衣室側の止水材１４４によって堰き止められて脱衣室へ水が流れ出ることが防止され、この水は、カバー部材１５の脱衣室側端部や長手方向端部あるいはカバー部材１５中間の分割位置から下枠本体１４の上面部１４１、つまり排水空間Ｓに流れ落ちる。
【００２８】
上面部１４１に流れ落ちた水は、立上部１４２で堰き止められ、その水勾配に従って上面部１４１上を浴室側に流れる。ここで、上面部１４１のうちの脱衣室側上面部１４１Ａでは、その水勾配によって水が浴室側に流れて浴室側上面部１４１Ｂに達する。さらに、略フラットな浴室側上面部１４１Ｂにおいて、水は溝１４７に沿って左右方向（下枠１２の長手方向）に案内される。このように浴室側上面部１４１Ｂ上を左右方向に流れた水は、下枠１２の長手方向端部の端部キャップ１８および下枠１２の長手方向中央部の端部キャップ１８に達する。このように端部キャップ１８位置に達した水は、リブ１８６，１８７，１８８に接触することで、水の表面張力によって引き寄せられ、端面部１８１の浴室側端部から浴室床２の床面２Ａに戻される。以上のように、排水空間Ｓの水を端部キャップ１８のリブ１８６，１８７，１８８で引き寄せて浴室側に誘導することで、上面部１４１に水が残ってしまうことを防止して排水性を向上させることができる。さらに、端部キャップ１８の挿入部１８２，１８３に形成したリブ１８６，１８７，１８８で水を引き寄せることで、別途の引水部材を準備する必要がなくなって、部品点数の増加を防止することができる。また、把手部１８９を引き上げてカバー部材１５を下枠本体１４から取り外すことで、上面部１４１の清掃を容易に行うことができる。
【００２９】
なお、本実施形態において、前述の端部キャップ１８に替えて次の図７に示す端部キャップ１９を用いてもよい。
図７において、端部キャップ１９は、前記端部キャップ１８と略同様に、端面部１９１と、この端面部１９１から延びる引水部としての２つの挿入部１９２，１９３と、これら２つの挿入部１９２，１９３間の挿通溝１９４とを有するとともに、挿入部１９２には、弾性変形可能な２つの押圧片部１９５が形成されている。端部キャップ１９の下面側には、下方に突出する複数のリブ１９６が設けられている。これらのリブ１９６は、脱衣室側から浴室側に向かうにしたがい、端面部１９１から離れて下枠１２の長手方向内側に傾斜して延びる傾斜リブとして形成されている。また、押圧片部１９５の下面にも、リブ１９６と並んでリブ１９８が形成されている。以上の端部キャップ１９においても、前記端部キャップ１８と同様に、排水空間Ｓにおける上面部１４１上の水を各リブ１９６，１９８で引き寄せて浴室側に誘導することで、上面部１４１に水が残ってしまうことを防止して排水性を向上させることができる。
【００３０】
〔第２実施形態〕
次に、本発明の第２実施形態に係る浴室出入口用建具としての開き戸１Ａについて、図８に基づいて説明する。
開き戸１Ａは、建具枠１０内に開閉自在に設けられた開き戸形式の障子（戸）２０を備えて構成され、障子２０は、一方の縦框側が建具枠１０に回動自在に支持されている。障子２０の下框２２には、止水部品２２０が取り付けられ、この止水部品２２０から延びる２本の止水ヒレ２２１，２２２がそれぞれ下枠１２のカバー部材３５および止水材１４４に当接することで、障子２０を閉じた際に浴室の水が脱衣室側に流れ出さないように構成されている。
【００３１】
下枠１２は、前記第１実施形態と略同様の下枠本体１４と、この下枠本体１４の上面側に取り付けられるカバー部材３５とを備えて構成されている。カバー部材３５は、カバー部材本体３７と、カバー部材本体３７の脱衣室側に取り付けられる短尺樹脂製の係合部材３９とを備えて構成されている。カバー部材本体３７は、アルミ押出形材製で長尺状の部材であって、下枠本体１４の上面部１４１を覆う水平面部３７１と、水平面部３７１の浴室側に連続して浴室床２に向かって傾斜した傾斜面部３７２とを備えて形成されている。また、カバー部材本体３７の下面側には、取付部材１６に係止される係止突起３７３と、係合部材３９を取り付けるための一対の取付片３７４とが形成されている。
【００３２】
以上のカバー部材３５は、係合部材３９の脱衣室側端部を下枠本体１４の係合凹部１４６に係合させるとともに、係止突起３７３を取付部材１６に係止することで、下枠本体１４に取り付けられるようになっている。また、カバー部材３５の長手方向両端部には、前記第１実施形態の端部キャップ１８，１９と略同様の端部キャップが取り付けられており、浴室側上面部１４１Ｂ上の水を端部キャップで引き寄せ、端部キャップから浴室床２の床面２Ａに水を戻すことで、上面部１４１に水が残ってしまうことを防止して排水性が向上できるように構成されている。
【００３３】
〔第３実施形態〕
次に、本発明の第３実施形態に係る浴室出入口用建具としての折れ戸１Ｂについて、図９に基づいて説明する。
折れ戸１Ｂは、建具枠１０内にスライド自在かつ互いに屈伸自在に設けられた折れ戸形式の障子（戸）２０を備えて構成されている。下枠１２は、前記第１、２実施形態と略同様の下枠本体１４と、この下枠本体１４の上面側に取り付けられるカバー部材４５とを備えて構成されている。なお、本実施形態では、下枠本体１４に障子２０を案内する下レール１２Ａが一体に形成され、この下レール１２Ａの基端部に立上部１４２および係合凹部１４６が形成されている。
【００３４】
カバー部材４５は、カバー部材本体４７と、カバー部材本体４７の脱衣室側に取り付けられる短尺樹脂製の係合部材４９とを備えて構成されている。カバー部材本体４７は、アルミ押出形材製で長尺状の部材であって、下枠本体１４の上面部１４１を覆う水平面部４７１と、水平面部４７１の浴室側に連続して浴室床２に向かって傾斜した傾斜面部４７２とを備えて形成されている。また、カバー部材本体４７の下面側には、取付部材１６に係止される係止突起４７３と、障子２０の戸車に摺接する止水材４７５を保持するポケット部４７４とが形成され、係止突起４７３とポケット部４７４との間に係合部材４９が取り付けられている。
【００３５】
以上のカバー部材４５は、係合部材４９の脱衣室側端部を下枠本体１４の係合凹部１４６に係合させるとともに、係止突起４７３を取付部材１６に係止することで、下枠本体１４に取り付けられるようになっている。また、カバー部材４５の長手方向両端部には、前記第１実施形態の端部キャップ１８，１９と略同様の端部キャップが取り付けられており、浴室側上面部１４１Ｂ上の水を端部キャップで引き寄せ、端部キャップから浴室床２の床面２Ａに水を戻すことで、上面部１４１に水が残ってしまうことを防止して排水性が向上できるように構成されている。
【００３６】
〔第４実施形態〕
次に、本発明の第４実施形態に係る浴室出入口用建具としての片引き戸１Ｃについて、図１０に基づいて説明する。
片引き戸１Ｃは、建具枠１０と、この建具枠１０内に開閉自在に設けられた片引き戸形式の障子（戸）２０とを備えて構成されている。下枠１２は、前記第３実施形態と略同様の下枠本体１４と、この下枠本体１４の上面側に取り付けられるカバー部材４５とを備えて構成され、障子２０の戸車を案内する下レール１２Ａが下枠本体１４に一体に形成されている。カバー部材４５は、前記第３実施形態と同様のカバー部材本体４７と係合部材４９とを備えて構成され、その長手方向両端部に前記第１実施形態の端部キャップ１８，１９と略同様の端部キャップが取り付けられることで、上面部１４１に水が残ってしまうことを防止して排水性が向上できるように構成されている。
【００３７】
なお、本発明は前記実施形態の構成に限定されるものではない。
例えば、前記実施形態では、カバー部材１５を下枠１２の長手方向中間位置で２分割したが、これに限らず、下枠１２の長手方向略全長に渡って１本のカバー部材で構成してもよく、またカバー部材を３分割以上に分割してもよい。
また、端部キャップ１８，１９の形状は、前記実施形態で説明したものに限らず、引水部の表面に適宜な凹凸が形成されたものや、複数のリブの高さ寸法が相違するもの、あるいは各リブが細かく分割されたものなど、適宜な形状の端部キャップが利用可能である。
また、前記各実施形態では、三枚建て引戸１、開き戸１Ａ、折れ戸１Ｂおよび片引き戸１Ｃにについて説明したが、本発明の浴室出入口用建具における開閉形式は、特に限定されるものではなく、両開き形式や、二枚建ての引き戸形式、左右引き分け形式など、任意の開閉形式のものが利用可能である。
【００３８】
その他、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【符号の説明】
【００３９】
１…三枚建て引戸（浴室出入口用建具）、１Ａ…開き戸（浴室出入口用建具）、１Ｂ…折れ戸（浴室出入口用建具）、１Ｃ…片引き戸（浴室出入口用建具）、２…浴室床、１０…建具枠、１２…下枠、１４…下枠本体、１５，３５，４５…カバー部材、１８，１９…端部キャップ、２０…障子（戸）、１４１…上面部、１８２，１８３，１９２，１９３…挿入部（引水部）、１８６…リブ（見込みリブ）、１８７…リブ（見付けリブ）、１９６…リブ（傾斜リブ）、Ｓ…排水空間。
【図１】
2011006951.tif 000003
【図２】
2011006951.tif 000004
【図３】
2011006951.tif 000005
【図４】
2011006951.tif 000006
【図５】
2011006951.tif 000007
【図６】
2011006951.tif 000008
【図７】
2011006951.tif 000009
【図８】
2011006951.tif 000010
【図９】
2011006951.tif 000011
【図１０】
2011006951.tif 000012